(57)【要約】【課題】傾斜弾性部材を備えない腹側胴回り部を有するパンツ型吸収性物品の腹側の引き上げ性を向上させること。【解決手段】パンツ型吸収性物品（１）であって、腹側胴回り部（２０）は下端部において傾斜弾性部材を備えておらず、前側の上端部において防漏壁部（４０）を起立不能に固定する前側端部固定部（５１）と後側の上端部において防漏壁部（４０）を起立不能に固定する後側端部固定部（５２）と上下方向に間隔を空けた位置において、防漏壁部（４０）を肌側シート（１２）に固定する間欠固定部（５３）を有し、展開かつ伸長した状態において、間欠固定部（５３）の上下方向の中心は、パンツ型吸収性物品（１）の上下方向の中心よりも腹側に配置されていること。【選択図】図６
2019118567.tif 000002
【特許請求の範囲】
【請求項１】
互いに交差する上下方向と左右方向と前後方向とを有し、
前記上下方向に沿って配置された吸収性コアと、前記吸収性コアよりも着用者の肌側に配置された肌側シートと、一対の防漏壁部とを備え、前記上下方向の下端部にて前後に折り曲げられた吸収性本体と、
前記前後方向の前側の前記吸収性本体の上端部に接合された腹側胴回り部と、
前記前後方向の後側の前記吸収性本体の上端部に接合された背側胴回り部と、
を有するパンツ型吸収性物品であって、
前記腹側胴回り部は、下端部において、下側に向かって前記左右方向の内側に傾く傾斜弾性部材を備えておらず、
前記吸収性本体は、前記左右方向の両側部において、前記上下方向に伸縮する弾性部材を備えており、
前記一対の防漏壁部は、前記弾性部材によって前記肌側に起立可能であり、
前記吸収性本体は、
前記前側の上端部において、前記防漏壁部を起立不能に固定する前側端部固定部と、
前記後側の上端部において、前記防漏壁部を起立不能に固定する後側端部固定部と、
前記前側端部固定部及び前記後側端部固定部と前記上下方向に間隔を空けた位置において、前記防漏壁部を前記肌側シートに固定する間欠固定部と、を有し、
前記上下方向に前記パンツ型吸収性物品を展開かつ伸長した状態において、前記間欠固定部の前記上下方向の中心は、前記パンツ型吸収性物品の前記上下方向の中心よりも前記腹側胴回り部側に配置されていることを特徴とするパンツ型吸収性物品。
【請求項２】
請求項１に記載のパンツ型吸収性物品であって、
前記吸収性コアは、その長手方向の中央部において、端部に比べて前記左右方向の幅の狭い幅狭部を有し、
前記間欠固定部の少なくとも一部は、前記左右方向において、前記幅狭部と並び、かつ、前記幅狭部の外側に配置されていることを特徴とするパンツ型吸収性物品。
【請求項３】
請求項１又は２に記載のパンツ型吸収性物品であって、
前記上下方向に前記パンツ型吸収性物品を展開かつ伸長した状態において、前記間欠固定部の全てが、前記パンツ型吸収性物品の前記上下方向の中心よりも前記腹側胴回り部側に配置されていることを特徴とするパンツ型吸収性物品。
【請求項４】
請求項１から３の何れか１項に記載のパンツ型吸収性物品であって、
前記防漏壁部は、前記左右方向における前記間欠固定部の内側端から前記防漏壁部の根元側の根元領域と、前記根元領域よりも前記防漏壁部の先端側の先端領域と、を有し、
前記先端領域は、前記防漏壁部の先端よりも前記左右方向の内側において、互いに対向する面同士の少なくとも一部が接合された接合部を有することを特徴とするパンツ型吸収性物品。
【請求項５】
請求項４に記載のパンツ型吸収性物品であって、
前記上下方向に前記パンツ型吸収性物品を展開かつ伸長した状態において、前記接合部は、前記間欠固定部と前記上下方向に重複しない位置に配置されていることを特徴とするパンツ型吸収性物品。
【請求項６】
請求項４又は５に記載のパンツ型吸収性物品であって、
前記上下方向に前記パンツ型吸収性物品を展開かつ伸長した状態において、
前記腹側胴回り部と前記背側胴回り部の間の前記吸収性本体の部位のうち、前記間欠固定部及び前記接合部の少なくとも一方が配置されている部位の前記上下方向の長さが、それ以外の部位の前記上下方向の長さよりも長いことを特徴とするパンツ型吸収性物品。
【請求項７】
請求項４から６の何れか１項に記載のパンツ型吸収性物品であって、
前記上下方向に前記パンツ型吸収性物品を展開かつ伸長した状態において、前記間欠固定部の前記上下方向の長さは、前記接合部の前記上下方向の長さよりも短いことを特徴とするパンツ型吸収性物品。
【請求項８】
請求項１から７の何れか１項に記載のパンツ型吸収性物品であって、
前記間欠固定部は、前記左右方向における前記吸収性本体の側端よりも内側に配置されていることを特徴とするパンツ型吸収性物品。
【発明の詳細な説明】
【技術分野】
【０００１】
本発明は、パンツ型吸収性物品に関する。
【背景技術】
【０００２】
パンツ型吸収性物品として、パンツ型使い捨ておむつが知られている。特許文献１には、外側シート部材と、外側シート部材の肌面側に接合される吸収性本体とを備え、吸収性本体の幅方向両側端部それぞれから延びるサイドシートの一部が、起立用弾性部材の収縮により上方に立ち上がる起立部（防漏壁部）が設けられたパンツ型使い捨ておむつが開示されている。
特許文献１の外側シート部材は平面視略砂時計形状であり、幅方向の内側に切り欠かれた部分によって脚開口部が形成されている。また、脚開口部の縁に沿って脚周り用弾性部材が設けられており、おむつは着用者の脚周りにフィットする。脚周り用弾性部材は、股下側に向かって幅方向の内側に傾く傾斜弾性部材である。よって、おむつの着用時には、傾斜弾性部材により、おむつ（吸収性本体）の引き上げ性が向上する。
【先行技術文献】
【特許文献】
【０００３】
【特許文献１】特開２０１０−９４３３４号
【発明の概要】
【発明が解決しようとする課題】
【０００４】
しかしながら、着用者の腹側に当てられる外側シート部材の部位（以下「腹側胴回り部」）に上記の傾斜弾性部材を設けるためには、腹側胴回り部を股下側に長く延ばす必要がある。そのため、例えば傾斜弾性部材を備えない平面視矩形状の腹側胴回り部を有するパンツ型使い捨ておむつも提案されている。このおむつの場合、歩行時の脚の引き上げが腹側胴回り部によって阻害されず、歩行しやすい。ただし、腹側に傾斜弾性部材が設けられていないため、おむつの腹側の引き上げ性が不十分である。
【０００５】
本発明は、上記のような従来の問題に鑑みてなされたものであって、その目的は、傾斜弾性部材を備えない腹側胴回り部を有するパンツ型吸収性物品の腹側の引き上げ性を向上させることにある。
【課題を解決するための手段】
【０００６】
上記目的を達成するための主たる発明は、互いに交差する上下方向と左右方向と前後方向とを有し、前記上下方向に沿って配置された吸収性コアと、前記吸収性コアよりも着用者の肌側に配置された肌側シートと、一対の防漏壁部とを備え、前記上下方向の下端部にて前後に折り曲げられた吸収性本体と、前記前後方向の前側の前記吸収性本体の上端部に接合された腹側胴回り部と、前記前後方向の後側の前記吸収性本体の上端部に接合された背側胴回り部と、を有するパンツ型吸収性物品であって、前記腹側胴回り部は、下端部において、下側に向かって前記左右方向の内側に傾く傾斜弾性部材を備えておらず、前記吸収性本体は、前記左右方向の両側部において、前記上下方向に伸縮する弾性部材を備えており、前記一対の防漏壁部は、前記弾性部材によって前記肌側に起立可能であり、前記吸収性本体は、前記前側の上端部において、前記防漏壁部を起立不能に固定する前側端部固定部と、前記後側の上端部において、前記防漏壁部を起立不能に固定する後側端部固定部と、前記前側端部固定部及び前記後側端部固定部と前記上下方向に間隔を空けた位置において、前記防漏壁部を前記肌側シートに固定する間欠固定部と、を有し、前記上下方向に前記パンツ型吸収性物品を展開かつ伸長した状態において、前記間欠固定部の前記上下方向の中心は、前記パンツ型吸収性物品の前記上下方向の中心よりも前記腹側胴回り部側に配置されていることを特徴とするパンツ型吸収性物品である。  
本発明の他の特徴については、本明細書及び添付図面の記載により明らかにする。
【発明の効果】
【０００７】
本発明によれば、傾斜弾性部材を備えない腹側胴回り部を有するパンツ型吸収性物品の腹側の引き上げ性を向上させることができる。
【図面の簡単な説明】
【０００８】
【図１】パンツ型使い捨ておむつ１の正面図である。
【図２】展開かつ伸長状態のおむつ１の概略平面図である。
【図３】図２のＩＩ線での概略断面図である。
【図４】パンツ型状態のおむつ１を前後方向に切った概略断面図である。
【図５】防漏壁部４０を説明する図である。
【図６】防漏壁部４０を説明する図である。
【図７】図７Ａは図５のＩ−Ｉ線での概略断面図であり、図７Ｂは図５のＩＩ−ＩＩ線での概略断面図であり、図７Ｃは図５のＩＩＩ−ＩＩＩ線での概略断面図である。
【図８】図８Ａ及び図８Ｂは着用状態の防漏壁部４０の概略断面図である。
【発明を実施するための形態】
【０００９】
本明細書及び添付図面の記載により、少なくとも以下の事項が明らかとなる。  
また、互いに交差する上下方向と左右方向と前後方向とを有し、前記上下方向に沿って配置された吸収性コアと、前記吸収性コアよりも着用者の肌側に配置された肌側シートと、一対の防漏壁部とを備え、前記上下方向の下端部にて前後に折り曲げられた吸収性本体と、前記前後方向の前側の前記吸収性本体の上端部に接合された腹側胴回り部と、前記前後方向の後側の前記吸収性本体の上端部に接合された背側胴回り部と、を有するパンツ型吸収性物品であって、前記腹側胴回り部は、下端部において、下側に向かって前記左右方向の内側に傾く傾斜弾性部材を備えておらず、前記吸収性本体は、前記左右方向の両側部において、前記上下方向に伸縮する弾性部材を備えており、前記一対の防漏壁部は、前記弾性部材によって前記肌側に起立可能であり、前記吸収性本体は、前記前側の上端部において、前記防漏壁部を起立不能に固定する前側端部固定部と、前記後側の上端部において、前記防漏壁部を起立不能に固定する後側端部固定部と、前記前側端部固定部及び前記後側端部固定部と前記上下方向に間隔を空けた位置において、前記防漏壁部を前記肌側シートに固定する間欠固定部と、を有し、前記上下方向に前記パンツ型吸収性物品を展開かつ伸長した状態において、前記間欠固定部の前記上下方向の中心は、前記パンツ型吸収性物品の前記上下方向の中心よりも前記腹側胴回り部側に配置されていることを特徴とするパンツ型吸収性物品である。
【００１０】
このようなパンツ型吸収性物品によれば、引き上げ時に、前側端部固定部と間欠固定部の間の弾性部材が強く伸長しやすい。そのため、前側端部固定部と間欠固定部の間の吸収性本体の部位が伸び縮みの挙動を繰り返し、引き上がりやすくなる。よって、腹側胴回り部が傾斜弾性部材を備えていなくても、腹側に寄って設けられた間欠固定部により、腹側の吸収性本体の引き上げ性を向上させることができる。
【００１１】
かかるパンツ型吸収性物品であって、前記吸収性コアは、その長手方向の中央部において、端部に比べて前記左右方向の幅の狭い幅狭部を有し、前記間欠固定部の少なくとも一部は、前記左右方向において、前記幅狭部と並び、かつ、前記幅狭部の外側に配置されていることを特徴とするパンツ型吸収性物品である。
【００１２】
このようなパンツ型吸収性物品によれば、吸収性コアの変形自由度が高く、着用者の股間部に吸収性コアが入り込みやすい。よって、パンツ型吸収性物品をスムーズに引き上げることができる。
【００１３】
かかるパンツ型吸収性物品であって、前記上下方向に前記パンツ型吸収性物品を展開かつ伸長した状態において、前記間欠固定部の全てが、前記パンツ型吸収性物品の前記上下方向の中心よりも前記腹側胴回り部側に配置されていることを特徴とするパンツ型吸収性物品である。
【００１４】
このようなパンツ型吸収性物品によれば、間欠固定部に折り癖が付きにくい。よって、間欠固定部が位置する吸収性本体の部位は、平面状態のまま水平に引き上がりやすく、腹側の吸収性本体の引き上げ性を向上させることができる。
【００１５】
かかるパンツ型吸収性物品であって、前記防漏壁部は、前記左右方向における前記間欠固定部の内側端から前記防漏壁部の根元側の根元領域と、前記根元領域よりも前記防漏壁部の先端側の先端領域と、を有し、前記先端領域は、前記防漏壁部の先端よりも前記左右方向の内側において、互いに対向する面同士の少なくとも一部が接合された接合部を有することを特徴とするパンツ型吸収性物品である。
【００１６】
このようなパンツ型吸収性物品によれば、接合部によって吸収性コアの側端から起立可能なシートの長さが短くなる。よって、接合部が位置する吸収性コアの部位は垂れ下がりにくく、引き上がりやすくなる。
【００１７】
かかるパンツ型吸収性物品であって、前記上下方向に前記パンツ型吸収性物品を展開かつ伸長した状態において、前記接合部は、前記間欠固定部と前記上下方向に重複しない位置に配置されていることを特徴とするパンツ型吸収性物品である。
【００１８】
このようなパンツ型吸収性物品によれば、展開した上下方向の広い範囲に亘り間欠固定部及び接合部が配置され、吸収性本体の引き上げ性を向上させることができる。
【００１９】
かかるパンツ型吸収性物品であって、前記上下方向に前記パンツ型吸収性物品を展開かつ伸長した状態において、前記腹側胴回り部と前記背側胴回り部の間の前記吸収性本体の部位のうち、前記間欠固定部及び前記接合部の少なくとも一方が配置されている部位の前記上下方向の長さが、それ以外の部位の前記上下方向の長さよりも長いことを特徴とするパンツ型吸収性物品である。
【００２０】
このようなパンツ型吸収性物品によれば、腹側胴回り部と背側胴回り部の間の吸収性本体の部位は引き上がりにくいが、展開した上下方向の広い範囲に亘り間欠固定部及び接合部が配置され、吸収性本体の引き上げ性を向上させることができる。
【００２１】
かかるパンツ型吸収性物品であって、前記上下方向に前記パンツ型吸収性物品を展開かつ伸長した状態において、前記間欠固定部の前記上下方向の長さは、前記接合部の前記上下方向の長さよりも短いことを特徴とするパンツ型吸収性物品である。
【００２２】
このようなパンツ型吸収性物品によれば、間欠固定部を不要に長くしないことで、着用者への肌当たりの低下を軽減できる。
【００２３】
かかるパンツ型吸収性物品であって、前記間欠固定部は、前記左右方向における前記吸収性本体の側端よりも内側に配置されていることを特徴とするパンツ型吸収性物品である。
【００２４】
このようなパンツ型吸収性物品によれば、吸収性本体の側端に剛性の高い間欠固定部が位置しないことで、吸収性本体の側端を柔らかくでき、着用者への肌当たりを良くできる。
【００２５】
＝＝＝実施形態＝＝＝
以下、本発明に係るパンツ型吸収性物品として、大人用のパンツ型使い捨ておむつを例に挙げて実施形態を説明する。ただし、本発明に係るパンツ型吸収性物品は、乳幼児用のパンツ型使い捨ておむつや、生理用ショーツ等としても利用可能である。
【００２６】
＝＝＝パンツ型使い捨ておむつ１の構成＝＝＝
図１はパンツ型使い捨ておむつ１（以下「おむつ」）の正面図である。図２は展開かつ伸長状態のおむつ１の概略平面図である。図３は図２のＩＩ線での概略断面図である。図４はパンツ型状態のおむつ１を前後方向に切った概略断面図である。
【００２７】
おむつ１は、図１のパンツ型状態において、互いに交差する上下方向と左右方向と前後方向とを有し、胴回り開口部ＢＨと一対の脚回り開口部ＬＨとが形成されている。上下方向の上側が胴回り開口部ＢＨ側に対応し、下側が股下側に対応する。また、前後方向の前側が着用者の腹側に対応し、後側が着用者の背側に対応する。また、図３に示すように、おむつ１を構成する資材が積層された方向を厚さ方向という。厚さ方向において着用者に接する側を肌側とし、その反対側を非肌側とする。
【００２８】
おむつ１は、吸収性本体１０と、腹側胴回り部２０と、背側胴回り部３０とを有する。パンツ型状態のおむつ１において、吸収性本体１０（後述の吸収性コア１１）は上下方向に沿って配置されており、上下方向の下端部にて前後に折り曲げられている。そして、前後方向の前側の吸収性本体１０の上端部に、非肌側から腹側胴回り部２０が接合され、前後方向の後側の吸収性本体１０の上端部に、非肌側から背側胴回り部３０が接合されている。
【００２９】
図２の展開状態のおむつ１において、腹側胴回り部２０及び背側胴回り部３０は、それらの長手方向がおむつ１の左右方向に沿うように配置されている。そして、左右方向における腹側胴回り部２０の中央部に、吸収性本体１０の長手方向の一方側の端部が配置され、左右方向における背側胴回り部３０の中央部に、吸収性本体１０の長手方向の他方側の端部が配置されている。図２の展開状態から、吸収性本体１０が長手方向の略中央で二つ折りされ、左右方向における腹側胴回り部２０の両側部と、左右方向における背側胴回り部３０の両側部とが、溶着等で接合されることにより、パンツ型状態のおむつ１となる。
【００３０】
吸収性本体１０は、左右方向の両側部において、その長手方向（おむつ１の上下方向）に伸縮する側部弾性部材４１（本発明の弾性部材）を備えている。また、吸収性本体１０は、左右方向の両側部において、その長手方向に沿う一対の防漏壁部４０を備えている。防漏壁部４０は、側部弾性部材４１によって肌側に起立可能である（詳細は後述する）。
【００３１】
また、吸収性本体１０は、排泄液を吸収する吸収性コア１１と、吸収性コア１１よりも着用者の肌側に配置された液透過性の肌側シート１２と、吸収性コア１１よりも非肌側に配置された液不透過性の非肌側シート１３と、シート部材１４とを有する。肌側シート１２は、吸収性コア１１を巻き込むように、左右方向の両側部が非肌側に折り返されている。シート部材１４は、非肌側シート１３よりも非肌側に配置されるとともに、肌側シート１２よりも肌側において防漏壁部４０を形成している。
【００３２】
吸収性コア１１は、高吸収性ポリマー（所謂ＳＡＰ）を含むパルプ繊維等の液体吸収性繊維を所定形状に成形したものである。本実施形態の吸収性コア１１は平面視略砂時計形状であるが、これに限らず、例えば平面視矩形状等であってもよい。また、吸収性コア１１は、液透過性のコアラップシート１５で被覆されていてもよい。
【００３３】
腹側胴回り部２０及び背側胴回り部３０は、それぞれ、内層シート２１，３１と、内層シート２１，３１よりも非肌側に配置された外層シート２２，３２と、胴回り弾性部材２３，３３と、カバーシート２４、３４とを有する。胴回り弾性部材２３，３３は、内層シート２１，３１と外層シート２２，３２の間において、上下方向に並んで配置されるとともに、左右方向に伸長状態で固定されている。よって、腹側胴回り部２０及び背側胴回り部３０は、着用者の胴回りにフィットする。また、カバーシート２４、３４は、吸収性本体１０の上端部を肌側から覆っている。
【００３４】
図２の展開かつ伸長状態において、腹側胴回り部２０は平面視矩形状である。背側胴回り部３０は、前後方向において腹側胴回り部２０と重複する重複部３０Ａと、腹側胴回り部２０よりも下側に延出する延出部３０Ｂとを有する。重複部３０Ａは平面視矩形状であり、延出部３０Ｂは平面視逆台形状である。延出部３０Ｂによって着用者の臀部を被覆できる。一方、腹側胴回り部２０は、背側胴回り部３０に比べて上下方向の長さが短く、股下側まで延びていない。そのため、歩行時等に腹側に引き上げられる脚の動きが阻害されず、歩行しやすい。
【００３５】
また、背側胴回り部３０の延出部３０Ｂには、その下端に沿って延出部弾性部材３５が設けられている。延出部弾性部材３５は、具体的には、下側に向かって左右方向の内側に傾いて配置された一対の傾斜部３５１と、一対の傾斜部３５１の間において左右方向に沿って配置された直線部３５２とを有する。延出部弾性部材３５は、胴回り弾性部材３３と同様に、内層シート３１と外層シート３２の間において伸長状態で固定されている。延出部弾性部材３５によって、延出部３０Ｂは着用者の臀部にフィットし、延出部３０Ｂのめくれを抑えられる。
【００３６】
＝＝＝防漏壁部４０について＝＝＝
図５及び図６は防漏壁部４０を説明する図である。図５は展開かつ伸長状態のおむつ１の概略平面図である。図６は防漏壁部４０の概略断面図である。図７Ａは図５のＩ−Ｉ線での概略断面図であり、図７Ｂは図５のＩＩ−ＩＩ線での概略断面図であり、図７Ｃは図５のＩＩＩ−ＩＩＩ線での概略断面図である。図８Ａ及び図８Ｂは着用状態の防漏壁部４０の概略断面図である。
【００３７】
以下の説明において、上下方向におむつ１を展開かつ伸長した状態とは、腹側胴回り部２０及び背側胴回り部３０の接合を解除し、おむつ１を吸収性本体１０の長手方向（上下方向）に展開し、かつ、おむつ１を吸収性本体１０の長手方向（上下方向）に皺なく伸長させた状態である。具体的には、おむつ１を構成する資材（例えばシート部材１４等）の寸法がその部材単体の寸法と一致又はそれに近い長さになるまで伸長させた状態である。
【００３８】
＜＜防漏壁部４０の構成＞＞
吸収性本体１０が備える一対の防漏壁部４０は、それぞれ、吸収性本体１０の外装を構成するシート部材１４が折り畳まれることによって形成される。防漏壁部４０の形成方法の一例として以下の方法を例示できる。
【００３９】
まず、シート部材１４に非肌側シート１３が載置された状態で、シート部材１４の左右方向の両側部が、折り曲げ線ｆ１（図６参照）を基点として、肌側かつ左右方向の内側に折り曲げられる。そうして２層となったシート部材１４の間には、側部弾性部材４１が吸収性本体１０の長手方向に伸長状態で固定されている。次に、２層になったシート部材１４の左右方向の両側部が、折り曲げ線ｆ２を基点として、非肌側かつ左右方向の内側に折り曲げられる。
【００４０】
最後に、非肌側シート１３に吸収性コア１１や肌側シート１２が載置された状態で、４層となったシート部材１４の左右方向の両側部が、折り曲げ線ｆ３を基点として、肌側かつ左右方向の内側に折り曲げられる。これにより、側部弾性部材４１が固定されたシート部材１４の部位が、肌側シート１２よりも肌側に配置される。そして、断面略Ｓ字状に折り曲げられた防漏壁部４０が形成される。
【００４１】
防漏壁部４０は、折り曲げ線ｆ１とｆ２の間の部位である「肌側部４２」と、肌側部４２よりも非肌側に配置され、折り曲げ線ｆ２とｆ３の間の部位である「非肌側部４３」とを有する。肌側部４２は非肌側部４３に対して左右方向の外側に折り曲げられた部位である。よって、肌側部４２の左右方向の外側端４２ａが「防漏壁部４０の先端４２ａ」となる。
【００４２】
また、吸収性コア１１よりも非肌側に位置するシート部材１４の部位は、接着剤１６（図６参照）によって、吸収性本体１０の左右方向の側端１０ａの位置までバックシート１３等に固定されている。よって、吸収性本体１０の側端１０ａであり、折り曲げ線ｆ３の位置が防漏壁部４０の根元４３ａとなる。つまり、非肌側部４３の左右方向の外側端４３ａが「防漏壁部４０の根元４３ａ」となる。
【００４３】
肌側部４２を構成する２層のシート部材１４の間には、４本の側部弾性部材４１Ａが左右方向に並んで設けられている。４本の側部弾性部材４１Ａは、防漏壁部４０の先端４２ａに寄って配置されている。非肌側部５２を構成する２層のシート部材１４の間には、２本の側部弾性部材４１Ｂが左右方向に並んで設けられている。２本の側部弾性部材４１Ｂは、非肌側部４３の左右方向の内側端４３ｂに寄って配置されている。
【００４４】
また、吸収性本体１０は、図５に示すように、おむつ１の前後方向における前側の上端部において、防漏壁部４０を起立不能に固定する「前側端部固定部５１」と、後側の上端部において、防漏壁部４０を起立不能に固定する「後側端部固定部５２」とを有する。
【００４５】
前側端部固定部５１は、具体的には、図７Ａに示すように、防漏壁部４０の肌側部４２と非肌側部４３の間を接着剤等で固定する「肌側固定部５１１」と、防漏壁部４０の非肌側部４３と肌側シート１２の間を接着剤等で固定する「非肌側固定部５１２」とを有する。図示しないが、後側端部固定部５２も、図７Ａと同様の断面であり、肌側固定部と非肌側固定部とを有する。
【００４６】
そのため、吸収性本体１０の長手方向において、前側端部固定部５１と後側端部固定部５２の間のシート部材１４の部位が、防漏壁部４０の起立可能な部位となる。また、例えば着用者が寝姿勢である場合に、防漏壁部４０で堰き止めた排泄液が前後に流れたとしても、前型端部固定部５１及び後側端部固定部５２によって排泄液を堰き止めることができ、前漏れや後ろ漏れを抑制できる。
【００４７】
ちなみに、本実施形態の防漏壁部４０の起立可能な部位の幅（左右方向の長さ）は微少量ではない。具体的にいうと、肌側部４２の幅及び非肌側部４３の幅は微少量ではなく、５ｍｍよりも長い。そのため、仮に防漏壁部４０の長手方向の両端部を起立不能に固定しないと、防漏壁部４０の起立可能な部位が長手方向の中心に向かって収縮してしまい、防漏壁部４０を起立させることができない。つまり、前側端部固定部５１及び後側端部固定部５２が設けられることにより、吸収性本体１０の長手方向の広い範囲に亘って防漏壁部４０を綺麗に起立させることができ、防漏壁部４０を機能させることができる。
【００４８】
また、吸収性本体１０は、前側端部固定部５１及び後側端部固定部５２と上下方向に間隔を空けた位置において、防漏壁部４０を肌側シート１２に固定する「間欠固定部５３」を有する。つまり、上下方向におむつ１を展開かつ伸長した状態（図５）において、前側端部固定部５１、間欠固定部５３、及び、後側端部固定部５２が、上下方向に（吸収性本体１０の長手方向に）間欠的に配置されている。
【００４９】
間欠固定部５３は、具体的には、図６に示すように、防漏壁部４０の非肌側部４３と肌側シート１２の間を接着剤等で固定する。図５に例示する間欠固定部５３は、平面視矩形状の２つの固定部５３１，５３１が左右方向に並んで構成されたものである。ただし、これに限らず、例えば、間欠固定部５３が、１つの固定部で構成されていてもよいし、複数の固定部が左右方向や上下方向に並んで構成されていてもよい。
【００５０】
間欠固定部５３では接着剤の塗布等が行われており、剛性が高い。そのため、間欠固定部５３は、左右方向における吸収性本体１０の側端１０ａよりも内側に配置されていることが好ましい。吸収性本体１０の側端１０ａに、剛性の高い間欠固定部５３が位置しないことで、吸収性本体１０の側端１０ａ（エッジ）で着用者の内腿を刺激してしまうことを防止できる。
【００５１】
また、図６に示すように、防漏壁部４０において、左右方向における間欠固定部５３の内側端５３ａの位置から防漏壁部４０の根元４３ａ側の領域（根元４３ａまでの領域）を「根元領域４０１」とする。また、根元領域４０１よりも防漏壁部４０の先端４２ａ側の領域（先端４２ａまでの領域）を「先端領域４０２」とする。
【００５２】
防漏壁部４０の先端領域４０２は、図７Ｃに示すように、防漏壁部４０の先端４２ａよりも左右方向の内側において、互いに対向する面同士の少なくとも一部が接合された「摘み接合部５４」（本発明の接合部）を有している。摘み接合部５４は、具体的には、肌側部４２と非肌側部４３の間の一部を接着剤等で接合している。また、摘み接合部５４は、図５に示すように、吸収性本体１０の長手方向に沿って設けられている。
【００５３】
本実施形態の摘み接合部５４は、非肌側部４３の左右方向の内側端４３ｂ（すなわち折り曲げ線ｆ２）に沿って形成されている。ただし、これに限らず、摘み接合部５４が、非肌側部４３の左右方向の内側端４３ｂから離間して、内側端４３ｂよりも左右方向の外側に形成されていてもよい。
【００５４】
上記の前側端部固定部５１、後側端部固定部５２、間欠固定部５３、及び、摘み接合部５４は、接着剤を塗布することで形成するとしているが、これに限らない。例えばエンボス加工等の圧着手段を用いて形成してもよい。
【００５５】
特に、間欠固定部５３では、着用者の身体の動きによって、間欠固定部５３を形成する接着剤の一部が剥がれてしまうおそれがある。また、間欠固定部５３では、左右方向の内側に折り返された防漏壁部４０が肌側シート１２に固定される。そのため、間欠固定部５３を形成する接着剤の一部が剥がれると、接着剤が着用者の肌側に露出し、着用者の肌を接着剤で刺激してしまう。そのため、間欠固定部５３は、接着剤で形成してもよいが、エンボス加工等の圧着手段で形成することが好ましい。
【００５６】
＜＜おむつ１の引き上げ性の向上について＞＞
前述のように本実施形態のおむつ１の背側胴回り部３０（図２参照）は、腹側胴回り部２０よりも下側に延出する延出部３０Ｂを有し、延出部３０Ｂの下端に沿う延出部弾性部材３５を備えている。延出部弾性部材３５のうち、下側に向かって左右方向の内側に傾く傾斜部３５１は、上下方向に長さを有する。そのため、おむつ１の着用時に、ユーザーが胴回り部２０，３０を把持して、おむつ１を引き上げる際に、延出部弾性部材３５の傾斜部３５１の伸縮により、吸収性本体１０が引き上がりやすくなる。
【００５７】
一方、腹側胴回り部２０は、下端部において、下側に向かって左右方向の内側に傾く傾斜弾性部材を備えていない。この場合、背側の吸収性本体１０の引き上げ性に比べて、腹側の吸収性本体１０の引き上げ性が低下してしまう。なお、傾斜弾性部材とは、図２に例示する傾斜部３５１のように直線状に傾いて配置されたものに限らず、円弧状や曲線状等の種々の形状に傾いて配置されたものも含まれる。
【００５８】
そこで、上下方向におむつ１を展開かつ伸長した状態（図５）において、間欠固定部５３の上下方向の中心ＣＬ２を、おむつ１の上下方向の中心である製品中心ＣＬ１よりも腹側胴回り部２０側に配置するとよい。つまり、間欠固定部５３を腹側胴回り部２０側に寄せて配置するとよい。
【００５９】
仮に、吸収性本体１０が剛性の高い間欠固定部５３を備えていないとすると、ユーザーからの引き上げ力が吸収性本体１０全体に作用しやすく、側部弾性部材４１全体が弱く伸長する。
【００６０】
これに対して、本実施形態では、剛性の高い前側端部固定部５１と剛性の高い間欠固定部５３の間の、上下方向の長さが短い部位に、引き上げ力が作用しやすい。そのため、前側端部固定部５１と間欠固定部５３の間の側部弾性部材４１の部位が強く伸長し、収縮力も強くなる。よって、前側端部固定部５１と間欠固定部５３の間の吸収性本体１０の部位が、伸び縮みの挙動を繰り返し、引き上がりやすくなる。つまり、腹側の吸収性本体１０の引き上げ性が向上する。
【００６１】
また、図７Ｂに示すように、間欠固定部５３では、防漏壁部４０に肌側シート１２が固定されている。そのため、側部弾性部材４１の収縮によって、防漏壁部４０と共に、防漏壁部４０に固定された肌側シート１２、及び、肌側シート１２に不図示の接着剤で固定された吸収性コア１１も引き上げられる。よって、間欠固定部５３が位置する腹側の吸収性コア１１の部位の引き上げ性が向上する。
【００６２】
より具体的に説明すると、間欠固定部５３が位置しない箇所では、前述の図３に示すように、吸収性コア１１の左右方向の側端１１ａを起点として起立可能なシートの長さは次の長さになる。すなわち、吸収性コア１１の側端１１ａから吸収性本体１０の側端１０ａまでのシート（肌側シート１２や非肌側シート１３やシート部材１４）の左右方向の長さＷ１と、防漏壁部４０の非肌側部４３の左右方向の長さＷ２と、防漏壁部４０の肌側部４２の左右方向の長さＷ３とを合計した長さ（Ｗ１＋Ｗ２＋Ｗ３）となる。この長さ（Ｗ１＋Ｗ２＋Ｗ３）のシートが、図６に示すように間欠固定部５３によって一部摘ままれる。そのため、吸収性コア１１の側端１１ａから起立可能なシートの長さが短くなる。よって、おむつ１の引き上げ時に、間欠固定部５３が位置する吸収性コア１１の部位は垂れ下がりにくく、防漏壁部４０に追従して引き上がりやすくなる。
【００６３】
このように本実施形態のおむつ１では、腹側に傾斜弾性部材が設けられていなくても、間欠固定部５３によって、腹側の吸収性本体１０の引き上げ性を向上させることができる。よって、傾斜弾性部材（延出部弾性部材３５）が設けられた背側と、傾斜弾性部材が設けられていない腹側とで、引き上げ性の差が軽減され、おむつ１をスムーズに引き上げることができる。
【００６４】
なお、背側胴回り部３０が傾斜弾性部材を備えていなくてもよい。例えば、背側胴回り部３０が腹側胴回り部２０と同じ平面視矩形状であってもよい。この場合にも、自分でおむつ１を装着するユーザーは、腹側の引き上がり具合を見ながら装着するため、腹側の引き上げ性を向上させることで、引き上げ性の良いおむつ１であるという印象をユーザーに持ってもらうことができる。また、腹側胴回り部２０は傾斜弾性部材を備えていなければよく、平面視矩形状に限らない。例えば、腹側胴回り部２０が、図２に示す背側胴回り部３０と同様の平面形状であってもよい。
【００６５】
また、図５に示すように、本実施形態の吸収性コア１１は、平面視略砂時計状であり、その長手方向の中央部において、端部に比べて左右方向の幅の狭い幅狭部１１１を有する。幅狭部１１１は着用者の狭い股間部にフィットできる。
【００６６】
パンツ型状態のおむつ１において、間欠固定部５３の少なくとも一部は、左右方向において、吸収性コア１１の幅狭部１１１と並び、かつ、幅狭部１１１の外側に配置されていることが好ましい。つまり、上下方向におむつ１を展開かつ伸長した状態（図５）において、吸収性コア１１の幅狭部１１１と、間欠固定部５３の少なくとも一部とが、上下方向（吸収性本体１０の長手方向）に重複して配置されており、かつ、左右方向において、吸収性コア１１の側端１１ａよりも外側に、間欠固定部５３が配置されているとよい。
【００６７】
吸収性コア１１上に間欠固定部５３が位置してもよいが、その場合、吸収性コア１１の左右方向の両側部が肌側シート１２を介して一対の防漏壁部４０に固定されることになる。その場合、吸収性コア１１の変形自由度が低く、吸収性コア１１は板形状のまま水平に引き上げられる。よって、着用者の狭い股間部に吸収性コア１１の幅狭部１１１を入り込ませる際に、ユーザーは強く引き上げて吸収性コア１１を山形状に変形させる必要がある。
【００６８】
そのため、上記のように間欠固定部５３を配置し、図７Ｂに示すように、吸収性コア１１が位置しない吸収性本体１０のシート部分が防漏壁部４０に固定されるとよい。そうすることで、吸収性コア１１の変形自由度が高まり、吸収性コア１１の幅狭部１１１は着用者の股間幅に合わせて山形状に変形しやすくなる。よって、着用者の股間部に吸収性コア１１の幅狭部１１１が入り込みやすく、おむつ１をスムーズに引き上げることができる。
【００６９】
また、吸収性コア１１の幅狭部１１１では、吸収性コア１１の側端１１ａから吸収性本体１０の側端１０ａまでのシートの長さＷ１（図６参照）が長くなり、吸収性コア１１の側端１１ａから起立可能なシートの長さも長くなる。そのため、幅狭部１１１に対応する位置に間欠固定部５３を配置することで、吸収性コア１１の側端１１ａから起立可能なシートが一部摘ままれて、起立可能なシートの長さが短くなる。よって、おむつ１の引き上げ時に、吸収性コア１１の幅狭部１１１は垂れ下がりにくく、防漏壁部４０に追従して引き上がりやすくなる。この点からも、おむつ１の引き上げ性が向上するといえる。
【００７０】
また、上下方向におむつ１を展開かつ伸長した状態（図５）において、間欠固定部５３の全てが、おむつ１の製品中心ＣＬ１よりも腹側胴回り部２０側に配置されていることが好ましい。つまり、間欠固定部５３がおむつ１の製品中心ＣＬ１と重複していないことが好ましい。
【００７１】
おむつ１を展開状態（図２）からパンツ型へ成形する際に、吸収性本体１０が製品中心ＣＬ１で二つ折りされる。剛性の高い間欠固定部５３は二つ折りされると折り癖が付きやすい。そこで、上記のように間欠固定部５３を配置することで、間欠固定部５３は二つ折りされることがなく、間欠固定部５３に折り癖が付いてしまうことを防止できる。そうすると、間欠固定部５３が位置する吸収性本体１０の部位は、剛性の高い間欠固定部５３によって平面状態のまま水平に引き上がりやすい。よって、間欠固定部５３が位置する腹側の吸収性本体１０の部位の引き上げ性が向上する。
【００７２】
また、防漏壁部４０は、図７Ｃに示すように、摘み接合部５４を有している。摘み接合部５４によって、吸収性コア１１の側端１１ａから起立可能なシートの一部が摘ままれて、起立可能なシートの長さが短くなる。よって、おむつ１の引き上げ時に、摘み接合部５４が位置する吸収性コア１１の部位は垂れ下がりにくく、防漏壁部４０に追従して引き上がりやすくなる。よって、おむつ１の引き上げ性が向上する。
【００７３】
以上のように、摘み接合部５４及び間欠固定部５３によって、おむつ１（吸収性本体１０）の引き上げ性が向上する。そこで、上下方向におむつ１を展開かつ伸長した状態（図５）において、摘み接合部５４は、間欠固定部５３と上下方向に重複しない位置に配置されていることが好ましい。つまり、摘み接合部５４及び間欠固定部５３を吸収性本体１０の長手方向にずらして配置するとよい。そうすることで、吸収性本体１０の長手方向の広い範囲に亘り、吸収性本体１０の引き上げ性を向上させることができる。
【００７４】
本実施形態の摘み接合部５４は、図５に示すように、前側端部固定部５１と間欠固定部５３の間に配置された腹側の摘み接合部５４１と、後側端部固定部５２と間欠固定部５３の間に配置された背側の摘み接合部５４２とを有する。腹側の摘み接合部５４１によって、腹側の吸収性本体１０の引き上げ性を向上させることができる。また、背側の摘み接合部５４２によって、背側の吸収性本体１０の引き上げ性を向上させることができる。
【００７５】
また、上下方向におむつ１を展開かつ伸長した状態（図５）において、間欠固定部５３の上下方向の長さをＬ１、腹側の摘み接合部５４１の上下方向の長さをＬ２、背側の摘み接合部５４２の上下方向の長さをＬ３とする。また、背側の摘み接合部５４２のうち背側胴回り部３０と重複しない部位の上下方向の長さをＬ４とする。そして、腹側胴回り部２０と背側胴回り部３０の間の吸収性本体１０の部位、すなわち、腹側胴回り部２０の下端２０ａから背側胴回り部３０の下端３０ａまでの上下方向の長さをＬ５とする。
【００７６】
吸収性本体１０のうち腹側胴回り部２０と背側胴回り部３０の間の部位は、腹側胴回り部２０又は背側胴回り部３０と重複する部位に比べて、引き上がりにくい。そこで、上下方向におむつ１を展開かつ伸長した状態（図５）において、腹側胴回り部２０と背側胴回り部３０の間の吸収性本体１０の部位のうち、間欠固定部５３及び摘み接合部５４の少なくとも一方が配置されている部位の上下方向の長さ（Ｌ１＋Ｌ２＋Ｌ４）を、それ以外の部位の上下方向の長さ（Ｌ５−（Ｌ１＋Ｌ２＋Ｌ４））よりも長くすることが好ましい。
【００７７】
つまり、腹側胴回り部２０と背側胴回り部３０の間の吸収性本体１０の部位には、吸収性本体１０の長手方向のより広い範囲に亘って、間欠固定部５３や摘み接合部５４を配置するとよい。そうすることで、引き上がりにくい吸収性本体１０の部位の引き上げ性を向上させることができる。
【００７８】
また、間欠固定部５３が位置する箇所の方が、摘み接合部５４が位置する箇所に比べて、側部弾性部材４１の収縮力（引き上げ力）が吸収性コア１１に作用しやすく、防漏壁部４０に追従して吸収性コア１１が引き上がりやすい。つまり、間欠固定部５３の方が摘み接合部５４に比べて、吸収性本体１０の引き上げ性をより向上させることができる。
【００７９】
さらに、本実施形態では、摘み接合部５４の左右方向の長さＷ４（図５参照）に比べて、間欠固定部５３の左右方向の長さＷ５（図６参照、左右方向に並ぶ２つの固定部５３１，５３２の合計長さ）の方が長くなっている。そのため、間欠固定部５３が位置する箇所では、吸収性コア１１の側端１１ａから起立可能なシートの長さがより短くなり、防漏壁部４０に追従して吸収性コア１１が引き上がりやすい。つまり、間欠固定部５３の方が摘み接合部５４に比べて、吸収性本体１０の引き上げ性をより向上させることができる。
【００８０】
そこで、上下方向におむつ１を展開かつ伸長した状態（図５）において、間欠固定部５３の上下方向の長さＬ１を、摘み接合部５４の上下方向の長さＬ２，Ｌ３よりも短くするとよい（Ｌ１＜Ｌ２，Ｌ３）。つまり、間欠固定部５３を不要に長くしないことが好ましい。そうすることで、剛性の高い間欠固定部５３による着用者への肌当たりの低下を軽減できる。また、間欠固定部５３を長くしなくても、間欠固定部５３は吸収性本体１０の引き上げ性をより良くできるため、おむつ１の引き上げ性は維持できる。
【００８１】
＜＜排泄物の漏れ抑制について＞＞
間欠固定部５３が位置する箇所では、吸収性コア１１の左右方向の側端１１ａから起立可能なシートの長さが短くなる。そのため、おむつ１の着用中に吸収性コア１１が排泄液を吸収して重くなっても、図８Ｂに示すように、間欠固定部５３が位置する吸収性コア１１の部位は垂れ下がりにくい。つまり、排泄後も、着用者に対する吸収性本体１０のフィット性を維持できる。
【００８２】
そのため、排泄後も、着用者に違和感を生じさせることがなく、歩行等も行いやすい。また、おむつ１の着用が外観から分かり難い。また、排泄が重ねられる場合にも排泄物の漏れを抑制できる。
【００８３】
その一方で、間欠固定部５３が位置する箇所では、防漏壁部４０の起立可能な部位の長さが短くなる。そのため、吸収性本体１０の長手方向の広い範囲に間欠固定部５３を設けずに、吸収性本体１０の長手方向の一部に間欠固定部５３を設けるとよい。そうすることで、前側端部固定部５１と間欠固定部５３の間、及び、間欠固定部５３と後側端部固定部５２の間では、防漏壁部４０の起立可能な部位の長さを長くできる。
【００８４】
具体的に説明すると、間欠固定部５３における防漏壁部４０の起立可能な部位の長さは（図７Ｂ参照）、間欠固定部５３の内側端５３ａから非肌側部４３の内側端４３ｂまでの左右方向の長さＷ６と、肌側部４２の左右方向の長さＷ３とを合計した長さ（Ｗ６＋Ｗ３）となる。
【００８５】
これに対して、間欠固定部５３及び摘み接合部５４が位置しない箇所では、防漏壁部４０の起立可能な部位の長さは（図３参照）は、非肌側部４３及び肌側部４２の左右方向の各長さを合計した長さ（Ｗ２＋Ｗ３）となる。
また、摘み接合部５４のみが位置する箇所では、防漏壁部４０の起立可能な部位の長さは（図７Ｃ参照）は、非肌側部４３及び肌側部４２の左右方向の各長さを合計した長さから、摘み接合部５４の左右方向の長さを減じた長さ（Ｗ２＋Ｗ３−Ｗ４）となる。
【００８６】
よって、間欠固定部５３が位置しない箇所（例えば図８Ａ）では、間欠固定部５３が位置する箇所（例えば図８Ｂ）に比べて、着用者の身体と吸収性本体１０の間に適度な大きさの空間２を確保できる。その空間２に排泄物を収容でき、排泄物の漏れを抑制できる。また、間欠固定部５３よりも腹側の空間２には男性器を収容でき、間欠固定部５３よりも背側の空間２には臀部や排便を収容できる。
【００８７】
また、本実施形態の吸収性本体１０は、左右方向の両側部において、上下方向に伸縮する側部弾性部材４１を備えるが、その側部弾性部材４１は、防漏壁部４０の先端領域４０２にのみ配置されている。仮に、間欠固定部５３で固定されるシート部材１４の部位に側部弾性部材４１が配置されていると、間欠固定部５３の剛性によって側部弾性部材４１の収縮力の一部が阻害されてしまう。
【００８８】
そこで、図６に示すように、間欠固定部５３の左右方向の内側端５３ａよりも防漏壁部４０の先端４２ａ側に、全ての側部弾性部材４１が位置することが好ましい。そうすることで、間欠固定部５３により側部弾性部材４１の収縮力が阻害されてしまうことを防止できる。よって、側部弾性部材４１の収縮力を有効に利用して、防漏壁部４０をしっかりと起立させ、防漏壁部４０を着用者に密着させることができ、排泄物の漏れを抑制できる。
【００８９】
ただし、上記に限らず、根元領域４０１に側部弾性部材４１が配置されていてもよい。詳しくは、根元領域４０１のうち、左右方向において間欠固定部５３と重複しない位置や、間欠固定部５３と重複する位置に、側部弾性部材４１が配置されていてもよい。
【００９０】
また、本実施形態の吸収性コア１１は幅狭部１１１を有する。幅狭部１１１によって、着用者の股間部への吸収性コア１１のフィット性は向上するが、幅が狭くなっている分だけ吸収能力が小さくなってしまう。そのため、前述したように、パンツ型状態のおむつ１において、間欠固定部５３の少なくとも一部は、左右方向において、吸収性コア１１の幅狭部１１１と並び、かつ、幅狭部１１１の外側に配置されていることが好ましい。
【００９１】
そうすることで、防漏壁部４０、及び、間欠固定部５３の接着剤で、幅狭部１１１の肌側面を覆ってしまうことを防止できる。つまり、幅狭部１１１の吸収面積の低下を防止でき、幅狭部１１１の吸収能力を維持できる。よって、排泄液の漏れを抑制できる。
【００９２】
また、着用者の排尿位置は、股下部よりも前側（腹側）に位置する。そのため、前述したように、間欠固定部５３を腹側胴回り部２０側に寄せて配置するとよい。そうすることで、吸収性コア１１における排泄口当接位置に対応して、間欠固定部５３が位置する。そのため、排泄液を最も吸収して重くなる吸収性コア１１の部位の垂れ下がりを間欠固定部５３によって抑制できる。
【００９３】
また、間欠固定部５３を腹側胴回り部２０側に寄せて配置することで、以下の長さの関係となる。すなわち、上下方向におむつ１を展開かつ伸長した状態（図５）において、前側端部固定部５１及び間欠固定部５３の間の防漏壁部４０の上下方向の長さＬ６に比べて、間欠固定部５３及び後側端部固定部５２の間の防漏壁部４０の上下方向の長さＬ７を長くできる（Ｌ６＜Ｌ７）。
【００９４】
そうすることで、間欠固定部５３が位置せず、防漏壁部４０の起立可能な部位の長さが長い領域を、背側に長く設けることができる。そのため、着用者の臀部や排便を収容する空間２（図８Ａ参照）を十分に確保できる。また、例えば着用者が寝姿勢である場合には背側に排泄液が流れやすいが、しっかりと起立する防漏壁部４０で背側に流れた排泄液を堰き止められる。よって、後ろ漏れを抑制できる。
【００９５】
さらに、本実施形態では、上下方向におむつ１を展開かつ伸長した状態（図５）において、前側端部固定部５１の上下方向の長さＬ８に比べて、後側端部固定部５２の上下方向の長さＬ９の方が短くなっている（Ｌ８＞Ｌ９）。
【００９６】
そのため、前側端部固定部５１及び間欠固定部５３の間の防漏壁部４０の上下方向の長さＬ６に対して、間欠固定部５３及び後側端部固定部５２の間の防漏壁部４０の上下方向の長さＬ７をさらに長くできる。よって、着用者の臀部や排便を収容する空間２を十分に確保でき、また、後ろ漏れを抑制できる。
【００９７】
また、防漏壁部４０は、図７Ｃに示すように、摘み接合部５４を有している。摘み接合部５４によって、防漏壁部４０の折り畳み形状が維持される、すなわち折り曲げ線ｆ２での曲げが維持される。そのため、おむつ１の着用状態（図８Ａ）では、防漏壁部４０の非肌側部４３に配置された側部弾性部材４１Ｂによって、非肌側部４３が着用者側に起立しつつ、肌側部４２に配置された側部弾性部材４１Ａによって、肌側部４２が着用者に面接触する。
【００９８】
また、摘み接合部５４は剛性が高く、肌側部４２の中でも特に摘み接合部５４は面形状が維持され、着用者にしっかりと密着できる。一方、摘み接合部５４以外の肌側部４２の部位は剛性が低く、着用者の身体の凹凸に応じた曲面を形成しながら着用者に密着できる。そのため、着用者への防漏壁部４０の密着度を高めることができ、排泄物の漏れを抑制できる。
【００９９】
ただし、摘み接合部５４では、防漏壁部４０を形成するシート部材１４の一部が摘ままれるため、防漏壁部４０の起立可能な部位の長さが短くなる。そのため、上下方向におむつ１を展開かつ伸長した状態（図５）において、摘み接合部５４は、間欠固定部５３と上下方向に重複しない位置に配置されていることが好ましい。
【０１００】
そうすることで、摘み接合部５４及び間欠固定部５３の両方によって防漏壁部４０の起立可能な部位の長さが短くなり過ぎてしまうことを防止できる。よって、吸収性本体１０の長手方向の広い範囲に亘り、防漏壁部４０を適度に起立させることができ、排泄物の漏れを抑制できる。
【０１０１】
本実施形態では、図５に示すように、前側端部固定部５１と間欠固定部５３の間に腹側の摘み接合部５４１が配置され、後側端部固定部５２と間欠固定部５３の間に背側の摘み接合部５４２が配置されている。
【０１０２】
そのため、間欠固定部５３よりも腹側の排泄物を収容する空間２（図８Ａ参照）を、腹側の摘み接合部５４１で封じることができ、排泄物の漏れを抑制できる。同様に、間欠固定部５３よりも背側の排泄物を収容する空間２を、背側の摘み接合部５４２で封じることができ、排泄物の漏れを抑制できる。
【０１０３】
さらに、上下方向におむつ１を展開かつ伸長した状態（図５）において、背側の摘み接合部５４２の上下方向の長さＬ３は、腹側の摘み接合部５４１の上下方向の長さＬ２よりも長いことが好ましい（Ｌ３＞Ｌ２）。
【０１０４】
そうすることで、長い背側の摘み接合部５４２によって、背側の防漏壁部４０を着用者にしっかりと密着させることができる。例えば着用者が寝姿勢である場合には背側に排泄液が流れやすいが、背側に流れた排泄液を防漏壁部４０でしっかりと堰き止められる。よって、後ろ漏れを抑制できる。
【０１０５】
また、摘み接合部５４の左右方向の長さＷ４（図５参照）は、間欠固定部５３の左右方向の長さＷ５（図６参照、左右方向に並ぶ２つの固定部５３１，５３２の合計長さ）よりも短くすることが好ましい（Ｗ４＜Ｗ５）。そうすることで、間欠固定部５３における防漏壁部４０の起立可能の部位の長さに比べて、摘み接合部５４における防漏壁部４０の起立可能な部位の長さを長くできる。よって、摘み接合部５４が位置する箇所では、排泄物を収容する空間２（図８Ａ参照）を十分に確保でき、排泄物の漏れを抑制できる。
【０１０６】
また、摘み接合部５４は、側部弾性部材４１が配置されている防漏壁部４０の先端領域４０２に設けられている。そのため、摘み接合部５４の左右方向の長さＷ４を短くすることで、摘み接合部５４に配置されている側部弾性部材４１の数を少なくできる。
【０１０７】
また、摘み接合部５４に配置されている側部弾性部材４１Ｂの数は（本実施形態は２本）、摘み接合部５４に配置されていない側部弾性部材４１の数（本実施形態は４本）よりも少ないことが好ましい。つまり、摘み接合部５４の剛性によって収縮力の一部が阻害されてしまう側部弾性部材４１の数は、摘み接合部５４によって収縮力が阻害されない側部弾性部材４１の数よりも少ないことが好ましい。そうすることで、側部弾性部材４１の収縮力を有効に利用して、防漏壁部４０をしっかりと起立させ、防漏壁部４０を着用者に密着させることができる。よって、排泄物の漏れを抑制できる。
【０１０８】
また、上下方向におむつ１を展開かつ伸長した状態（図５）において、摘み接合部５４は、おむつ１の製品中心ＣＬ１と重複しない位置に配置されていることが好ましい。
【０１０９】
そうすることで、おむつ１を展開状態（図２）からパンツ型へ成形する際に、剛性の高い摘み接合部５４が二つ折りされて折り癖が付いてしまうことを防止できる。そのため、摘み接合部５４を、吸収性本体１０の長手方向に沿って面で密着させることができ、排泄物の漏れを抑制できる。
【０１１０】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【０１１１】
上記の実施形態では、腹側胴回り部２０と背側胴回り部３０が分離されて別部材であるおむつを例示したが、腹側胴回り部２０と背側胴回り部３０の間に股下部が設けられ、腹側胴回り部２０と背側胴回り部３０が連続した一部材であってもよい。
【０１１２】
また、防漏壁部４０が摘み接合部５４を有していない形態でもよい。また、腹側の摘み接合部５４１と背側の摘み接合部５４２の一方のみを有する形態でもよい。また、摘み接合部５４が吸収性本体１０の長手方向に連続して長く設けられる形態でもよい。また、間欠固定部５３や摘み接合部５４等の長さの関係は、上記実施形態の関係に限定されない。
【符号の説明】
【０１１３】
１  おむつ（パンツ型吸収性物品）、
１０  吸収性本体、１１  吸収性コア、１１１  幅狭部、
１２  肌側シート、１３  非肌側シート、
１４  シート部材、１５  コアラップシート、
２０  腹側胴回り部、２１  内層シート、２２  外層シート、
２３  胴回り弾性部材、２４  カバーシート、
３０  背側胴回り部、３１  内層シート、３２  外層シート、
３３  胴回り弾性部材、３４  カバーシート、３５  延出部弾性部材、
４０  防漏壁部、４０１  根元領域、４０２  先端領域、
４１  側部弾性部材（弾性部材）、４２  肌側部、４３  非肌側部、
４２ａ  防漏壁部の先端、４３ａ  防漏壁部の根元、
５１  前側端部固定部、５２  後側端部固定部、５３  間欠固定部、
５４  摘み接合部（接合部）、
５４１  腹側の摘み接合部、５４２  背側の摘み接合部、
【図１】
2019118567.tif 000003
【図２】
2019118567.tif 000004
【図３】
2019118567.tif 000005
【図４】
2019118567.tif 000006
【図５】
2019118567.tif 000007
【図６】
2019118567.tif 000008
【図７】
2019118567.tif 000009
【図８】
2019118567.tif 000010